(57)【要約】【課題】  原子力発電装置などの工業プラントの点検を容易にするために、データベースレコードを維持し使用する方法を提供する。【解決手段】    工業プラントの点検のために、データベース（２００）を利用する方法は、工業プラントに関する点検関連データを含む遠隔データベースから、スプレッドシートをダウンロードすること（１０６）を含み、スプレッドシートは、点検データ（１３６）の選択リストを含む。方法は、選択リストを利用して、スプレッドシートに点検データを入力することと、入力された点検データと共に、スプレッドシートを遠隔コンピュータにアップロードし、それにより、遠隔データベースを更新することとを更に含む。【選択図】  図１
2006018836.tif 000002
【特許請求の範囲】
【請求項１】
工業プラントの点検のためにデータベース（２００）を利用する方法において、
前記工業プラントに関する点検関連データを含む遠隔データベースから、点検データ（１３６）の選択リストを含むスプレッドシートをダウンロードすること（１０６）と；
前記選択リストを利用して、前記スプレッドシートに点検データを入力することと；
入力された点検データと共に、前記スプレッドシートを前記遠隔コンピュータにアップロードし、それにより、前記遠隔データベースを更新することとから成る方法。
【請求項２】
前記工業プラントは、原子力発電装置であり、前記点検データ（１３６）は、点検されるべき溶接部の選択リストを含む請求項１記載の方法。
【請求項３】
前記スプレッドシートをダウンロードすることは、前記スプレッドシートに入力される点検データ（１３６）のエントリを制約するように構成されたマクロをダウンロードすることを含む請求項１記載の方法。
【請求項４】
前記選択リストを利用して、前記スプレッドシートに点検データ（１３６）を入力することは、複数の検査に関する点検データを入力することを含む請求項１記載の方法。
【請求項５】
データベース（２００）を利用する方法において、
ローカルコンピュータ（２０８）からの要求に応答して、データベースから選択されたデータを抽出することと；
前記データをスプレッドシートファイルとして配列することと；
前記スプレッドシートファイルへのエントリを制約するために、前記スプレッドシートファイルにマクロ又は仕様リストのいずれか一方、あるいはその双方を含めることと；
前記マクロ又は仕様リストのいずれか一方、あるいはその双方と共に、前記スプレッドシートファイルを前記ローカルコンピュータへ送信することとから成る方法。
【請求項６】
データベース（２００）を利用する方法において、
点検関連データ（１３６）を含むスプレッドシートをローカルコンピュータから受信することと；
前記点検関連データを抽出するために、前記スプレッドシートを構文解析することと；
前記点検関連データを前記データベースに挿入することとから成る方法。
【請求項７】
前記点検関連データ（１３６）は、原子力発電装置点検データを含む請求項６記載の方法。
【請求項８】
データベース（２００）を利用する方法において、
ローカルコンピュータ（２０８）からの要求に応答して、データベースから選択されたデータを抽出することと；
前記データをスプレッドシートファイルとして配列することと；
前記スプレッドシートファイルへのエントリを制約するために、前記スプレッドシートファイルにマクロ又は仕様リストのいずれか一方、あるいはその双方を含めることと；
前記マクロ又は仕様リストのいずれか一方、あるいはその双方と共に、前記スプレッドシートファイルを前記ローカルコンピュータへ送信することと；
前記点検関連データ（１３６）が追加された状態で、前記スプレッドシートをローカルコンピュータから受信することと；
前記点検関連データを抽出するために、前記スプレッドシートを構文解析することと；
前記点検関連データを前記データベースに挿入することとから成る方法。
【請求項９】
工業プラント点検のためのデータベース（２００）を有するコンピュータネットワーク（２０６）において、
各々がスプレッドシートプログラムを有する複数のローカルコンピュータ（２０８）と；
点検データ（１３６）のデータベース、問い合わせモジュール（２０２）、ウェブサーバ（２０４）及び更新モジュール（２１０）を含むコンピュータシステム（２１２）とを具備し、
前記問い合わせモジュールは、前記データベースからデータを抽出し、前記データをスプレッドシートとして再配列し、ロックされたスプレッドシートファイルを生成するために、マクロ又は選択リストのうちの少なくとも一方を提供するように構成され、前記更新モジュールは、アップロードされたスプレッドシートを構文解析し、構文解析された点検データを前記データベースに入力するように構成され、前記複数のローカルコンピュータは、ロックされたスプレッドシートファイルをダウンロードし、ネットワークを介してスプレッドシートを前記ウェブサーバにアップロードするように構成されるコンピュータネットワーク。
【請求項１０】
前記点検データ（１３６）のデータベース（２００）は、原子力発電装置の点検に関連するデータを含む請求項９記載のコンピュータネットワーク（２０６）。
【発明の詳細な説明】
【技術分野】
【０００１】
本発明は、一般に、データベースの利用に関し、特に、原子力発電装置などの工業プラントの点検を容易にするために、データベースレコードを維持し、使用する方法及び装置に関する。
【背景技術】
【０００２】
原子力発電装置の亀裂又は他の異常を検査するための定期点検は、「レベル３エンジニア」として知られる有資格の検査官によって実行される。レベル３エンジニアは、内部構成要素を点検し、注意を必要とする項目を指示し、定量化する。それらの点検は、スケジュールに従って定期的に実行され、点検されるべき項目のチェックリストを含む。例えば、発見される可能性がある亀裂の大きさ及び場所が指摘される。更に、予定外の運転停止中、又は適切であると考えられる他の時点でも、点検は行われる。それらの点検の結果は、追跡を目的として、中央データベース（例えば、カリフォルニア州レッドウッドのオラクル社より入手可能なORACLE（登録商標）データベース）にアップロードされる。その後も続けて観察すべき項目は、次の点検のスケジュールに組み込まれる。追跡検査及び点検されるべき項目のチェックリストは、原子力発電装置において何を、いつ、どのように点検すべきか及び点検中に何をすべきかを指示する米国原子力規制委員会の規則又は他の適切な規則に基づく。
【０００３】
それらのデータベースは、点検をスケジューリングし、その目標を定めるのには有効であるが、使用に際して、手動操作による多くの介入を必要とし、自動化されていない。場合によっては、多数のソフトウェア及び／又はコンピュータシステムに関わるプロセスが含まれるため、顧客にとっても、レベル３エンジニアにとっても、時間のかかる作業になる可能性がある。この問題に対処するための従来の試みにおいては、点検データを中央データベースにアップロードする前に、多数の個別の担当者がデータを検査し、データの有効性及びその有無を確認していた。この方法は、相当に長い時間と、非常に多くの労力を要する。更に、少なくとも１つの周知の手順は、１度に１種類の点検について、ウェブサーバを介して、点検結果をオラクルデータベースに入力すること（例えば、運転停止ごとに、何百という点検が行われる可能性もある）、又は完了するまでに何日もかかるプロセスによって、多数の異なる資源へ情報を送信することを含む。
【特許文献１】米国特許５，９８７，４７４号公報
【発明の開示】
【課題を解決するための手段】
【０００４】
従って、本発明のいくつかの構成は、工業プラントの点検のために、データベースを利用する方法を提供する。方法は、工業プラントに関する点検関連データを含む遠隔データベースから、スプレッドシートをダウンロードすることを含み、スプレッドシートは、点検データの選択リストを含む。方法は、選択リストを利用して、スプレッドシートに点検データを入力することと、入力された点検データと共に、スプレッドシートを遠隔コンピュータにアップロードし、それにより、遠隔データベースを更新することとを更に含む。
【０００５】
また、本発明のいくつかの構成は、データベースを利用する方法を提供する。方法は、ローカルコンピュータからの要求に応答して、データベースから選択されたデータを抽出することと、データをスプレッドシートファイルとして配列することとを含む。スプレッドシートファイルへのエントリを制約するために、マクロ又は仕様リストのいずれか一方、あるいはその双方がスプレッドシートファイルに含まれる。方法は、マクロ又は仕様リストのいずれか一方、あるいはその双方と共に、スプレッドシートファイルをローカルコンピュータへ送信することを更に含む。
【０００６】
本発明のいくつかの構成は、データベースを利用する方法を提供する。方法は、点検関連データを含むスプレッドシートをローカルコンピュータから受信することと、点検関連データを抽出するために、スプレッドシートを構文解析することと、点検関連データをデータベースに挿入することとを含む。
【０００７】
また、本発明のいくつかの構成は、データベースを利用する方法を提供する。方法は、ローカルコンピュータからの要求に応答して、データベースから選択されたデータを抽出することと、データをスプレッドシートファイルとして配列することとを含む。スプレッドシートファイルへのエントリを制約するために、マクロ又は仕様リストのいずれか一方、あるいはその双方がスプレッドシートファイルに含められる。方法は、マクロ又は仕様リストのいずれか一方、あるいはその双方と共に、スプレッドシートファイルをローカルコンピュータへ送信することと、点検関連データが追加された状態で、ローカルコンピュータからスプレッドシートを受信することと、点検関連データを抽出するために、スプレッドシートを構文解析することと、点検関連データをデータベースに挿入することとを更に含む。
【０００８】
更に別の面においては、本発明のいくつかの構成は、工業プラント点検のためのデータベースを有するコンピュータネットワークを提供する。ネットワークは、各々がスプレッドシートプログラムを有する複数のローカルコンピュータと、点検データのデータベース、問い合わせモジュール、ウェブサーバ及び更新モジュールを含むコンピュータシステムとを含む。問い合わせモジュールは、データベースからデータを抽出し、データをスプレッドシートとして再配列し、ロックされたスプレッドシートファイルを生成するために、マクロ又は選択リストのうちの少なくとも一方を提供するように構成される。更新モジュールは、アップロードされたスプレッドシートを構文解析し、構文解析された点検データを前記データベースに入力するように構成される。複数のローカルコンピュータは、ロックされたスプレッドシートファイルをダウンロードし、ネットワークを介してスプレッドシートをウェブサーバにアップロードするように構成される。
【０００９】
本発明の構成は、生産性を改善すると同時に、誤りが未解決のまま残される確率を低減する統合データエントリポイント及びシステムを提供することが理解されるであろう。本発明は、検査労力を更に効率よく、経済的に利用することを可能にする。
【発明を実施するための最良の形態】
【００１０】
以下の本発明の構成の説明は、マイクロソフト（登録商標）ＥＸＣＥＬ（登録商標）スプレッドシート及びオラクル（登録商標）データベースを含む市販のいくつかの種類のソフトウェア製品に関する。それらの特定のソフトウェア製品は、以下に説明する本発明の構成において使用するのに適する。しかし、以下の説明を読み、例示される構成で使用されるプログラムに要求される機能性を理解したならば、その他の適切な市販のスプレッドシート及び／又はデータベースプログラムを選択すること、あるいはそのようなプログラムの適切なカスタムバージョンを作成することは、当業者には可能であろう。
【００１１】
本発明のいくつかの構成においては、アセット管理アプリケーションにアクセスするスプレッドシートテンプレート（ＥＸＣＥＬ（登録商標）テンプレートなど）が提供される。ここで使用される用語「テンプレート」は、マクロ及び／又は選択リストを含み、完成形態のスプレッドシートを作成するために使用されるスプレッドシートファイルである。これは、テンプレートファイルとは異なるファイルである必要はなく、同一のマクロ及び／又は選択リストを含んでもよい。このため、「テンプレート」という用語と「スプレッドシート」という用語は、互換性をもって使用されるが、ローカルコンピュータにダウンロードされるファイルは、厳密に言えば、「テンプレート」ファイルであり、一方、ローカルコンピュータにより遠隔コンピュータにアップロードされるスプレッドシートファイルは、必ずしも「テンプレート」ファイルである必要はなく、テンプレートファイルである可能性もあるということを認識すべきである。
【００１２】
アセット管理アプリケーションにアクセスし、アセット管理アプリケーションに格納された情報から、スプレッドシートテンプレートを生成する再フォーマッティングプログラムが提供される。レベル３エンジニアなどの検査官が、自身のローカルコンピュータ、例えば、ポータブルコンピュータで使用するために、スプレッドシートテンプレートは、検査官によりダウンロードされる。スプレッドシートは、点検検査からレポートを生成するために使用される。検査官にフォーマット済みスプレッドシートを提供することにより、データが正確且つ完全に入力されたこと及び点検の適正な項目が検査されたことを保証するために、スプレッドシート中のマクロ又はスプレッドシートと関連するマクロによって、点検の結果を検査できる。その後、ローカルコンピュータは、完成したスプレッドシートをコンパニオンデータ抽出プログラムにアップロードするために使用される。コンパニオンデータ抽出プログラムは、スプレッドシートからデータを抽出し、点検の結果によってアセット管理アプリケーションを更新する。従って、本発明の技術的効果は、原子力発電装置などの工業プラントの点検を容易にすること、並びに検査官が使用し、データベースに再度挿入するのに好都合なフォーマットでデータファイルを再フォーマッティングし、再パッケージングし、送信することを含む。
【００１３】
特に、本発明のいくつかの構成においては、複数のオプションを提供するインターネットメニュー又はイントラネットメニューが検査官に対して提示され、検査官は、そのメニューから選択できる。例えば、図１に示される初期スクリーンショット１００を参照すると、本発明の１つの技術的効果は、点検検査メニューが検査官に対して提示されることにより実現される。いくつかの構成においては、このメニューに到達するために、検査官は、機密ウェブサイトにログインし、このモジュールまでナビゲートする必要がある。検査官は、点検検査メニューに従って、項目１０２を選択することにより、検査を挿入、編集又は削除でき、また、項目１０４を選択することにより、複数の点検検査を追加でき、更に、項目１０６を選択することにより、ＥＸＣＥＬテンプレートをダウンロードできる。「Insert or edit/delete exam（検査挿入又は編集／削除）」オプション１０２は、検査官が検査手続きの更新又は削除を実行できるようにするために、現在のデータを表示する。「Add multiple inspection exams（複数点検検査追加）」オプション１０４は、検査官がテンプレートをデータで埋めた後、ローカルスプレッドシートテンプレートから１つ以上の点検検査をアップロードすることを可能にする。「Download EXCEL template（ＥＸＣＥＬテンプレートダウンロード）」オプション１０６は、１つ以上の点検検査の結果を入力できるＥＸＣＥＬテンプレートを検査官がダウンロードすることを可能にする。この場合、検査官は、１つ以上のプラントの点検を実行する準備を整えており、従って、「Download EXCEL Template」オプション１０６を選択するものと仮定する。
【００１４】
「Download EXCEL template」オプション１０６を選択し、「Next（次）」ボタン１０８を押した後、本発明のいくつかの構成においては、複数の工業プラントをリストアップしたメニューが検査官に対して提示される。図２のスクリーンショット１１０を参照すると、いくつかの構成においては、スプレッドシートテンプレートをダウンロードできる原子力発電装置のメニュー１１２が提供される。検査官は、メニュー１１２から、プラントのうちの１つ（例えば、「Limerick 1」）を選択し、次に、スプレッドシートを生成し、検査官自身のローカルコンピュータにそのスプレッドシートをダウンロードするために、「Download Spreadsheet（スプレッドシートダウンロード）」ボタン１１４をクリックする。スプレッドシートをダウンロードするために使用されるステップ及び／又はマウスクリックの厳密なシーケンスは、ローカルコンピュータにおいて検査官により使用されるブラウジングツール及び／又はローカルコンピュータで実行されるオペレーティングシステムによって異なってもよい。
【００１５】
図３に示されるダウンロードプロンプト画面１１６を参照すると、検査官は、次に、ＥＸＣＥＬスプレッドシートをダウンロードすることを促され、データ入力（又は「捕捉」）プロセスを補助するためのマクロをセットアップする命令１１８を提供される。例えば、検査官は、ファイル名１２０（この例では、「Limerick 1_20030115.xls」）にマウスカーソルを合わせ、右クリックして、このファイルを検査官自身のローカルコンピュータにダウンロードする。ＥＸＣＥＬスプレッドシートにおいては、このマクロを実行するために、ＣＴＲＬ‐Ｐの組み合わせが使用されるが、マクロの実行を開始するために使用されるキーストローク及び／又はマウスクリック及び／又はその他のステップを、設計上の選択肢として残すことも可能である。例えば、いくつかのアプリケーションにおいては、ＣＴＲＬ‐Ｐは、プリンタへデータを送信するために使用される。このキーの組み合わせが、ここで説明するように使用され、再割り当てが不可能であり且つ／又は望ましくない場合、マクロを実行するために、別のキーの組み合わせ又はボタンを割り当てることができる。
【００１６】
ローカルコンピュータにファイルがダウンロードされた後、検査官が、点検データを入力又は検討する準備が整った時点で、ファイルを開くことができる。しかし、図４のスクリーンショット１２２を参照すると、MICROSOFT  ＥＸＣＥＬスプレッドシートプログラムのいくつかのバージョンは、マクロを含むスプレッドシートが開かれたときに、警告１２４を発生する。スプレッドシートプログラムがデータ入力に使用されている状態で、この状況が起こった場合、マクロをイネーブルさせるボタン１２６を押すか、マクロの実行を可能にするための同等のアクションを実行しなければならない。いくつかの構成においては、正当な点検テンプレートに対して、この警告メッセージの表示をディスエーブルする一方で、故意によるマクロ又は予期しないマクロを保護するために、適切な機密保護措置を講じることが望ましい。
【００１７】
テンプレートがロードされると、図５に示される画面に類似する画面表示１２８が現れる。この画面表示は、図中符号１３０により示される箇所で、点検データが表すプラントを指定する。画面表示は、点検されるべき各々の構成要素を識別する選択リスト１３２を含む。原子力発電装置の場合、構成要素は、点検されるべき複数の溶接部を含むであろう。更に、選択リスト１３４により、構成要素ごとの溶接部が選択される。構成要素選択リスト１３２においてその時点で選択されている構成要素に関連する溶接部のみを溶接部選択リスト１３４で選択できるように、溶接部選択リスト１３４は、構成要素選択リスト１３２に連係される。溶接部及び構成要素の選択には、他の点検データ１３６も連係され、検査の種類１３８、点検の理由１４０、及び点検日時１４２を記述するためのデータを入力できる。図中符号１４２により示される箇所で、数、日付又は他のフォーマット済み入力が要求される場合には、正しいデータフォーマットのデータのみが入力可能であり且つ／又は指定限界内であるように、スプレッドシート１２８のセルのフォーマッティングをテンプレートにより制約できる。（例えば、日付又は数が要求される場合、不可能な値が入力されたときに、テンプレートは検査官に警告できる。）いくつかの構成においては、今後の点検に備えて、覚書を入力することもできる。
【００１８】
いくつかの構成においては、スプレッドシート自体に、「insert row（行挿入）」ボタン１４４が設けられる。このボタン１４４を押すと、フォーマッティングされた選択及びデータエントリエリアからのエントリ（図５に示される例では、行５）が、その下の利用可能な行（例えば、行６）にコピーされる。これに続く行は、順次、点検データによって埋められる。いくつかの構成においては、偶発的な変更を防止するために、「insert row」ボタン１４４が押されたとき、新たな行のデータもロックされる。このようにして、順次続く行に点検データを入力することにより、テンプレートは、有効なデータのみが入力されること、並びにフォーマッティング及びデータ選択が自動的に制御されることを保証する。
【００１９】
点検結果及び／又はスケジュールが入力された後、検査をアップロードするために、検査官は、再びインターネットサイト又はイントラネットサイトにアクセスできる。従って、図６を参照すると、いくつかの構成においては、検査官は、メニュー１００から、「Add Multiple Inspection Exams」オプション１０４を選択し、「Next」ボタン１０８を押す。そこで、図７に示されるようなアップロード画面１４６が、検査官に対して提示される。この画面で、検査官は、アップロードするファイルを選択できる。いくつかの構成においては、入力ボックス１４８に、現在のフォルダ又はディレクトリのファイルの名前又はそのファイルに至る全経路をキーボードから入力するか、あるいは「browse（ブラウズ）」ボタン１５０をクリックして、ファイルのリストからファイルを選択することにより、ファイルの選択を実行できる。ファイルが選択された後、ファイルのアップロードを開始するために、検査官は、「upload（アップロード）」ボタン１５２を押す。いくつかの構成においては、送信ミスなく、有効なフォーマットのデータを伴ってファイルが受信された場合、図８に示されるような検証画面１５４が戻される。他のいくつかの構成では、コンテンツ検証及び点検の充足性の試験などの追加試験を実行できる。検証画面１５４を提供することは、本発明を実施する上で不可欠ではないが、本発明の多くの構成においては、非常に望ましい。
【００２０】
図９を参照して説明すると、本発明のいくつかの構成においては、検査官が使用するのに適するスプレッドシートテンプレートを提供するために、１つのアプリケーションに対して、１組の点検必要条件が選択される。それらの必要条件は、１つ以上のカスタム化ユーティリティプログラムの基礎を形成する。カスタム化ユーティリティプログラムは、中央データベース２００からデータを抽出し、このデータを、スプレッドシート用のテンプレートとして再配列する。いくつかの構成において使用されるカスタム化ユーティリティプログラムの一例は、以前の点検からのデータを中央データベース２００から抽出する問い合わせモジュール２０２である。例えば、いくつかの構成においては、問い合わせモジュール２０２は、データベース２００から、溶接部のリストと、障害、亀裂、並びにその他の点検条件及びデッドラインなどの関連点検データとを抽出する。問い合わせモジュール２０２は、ローカルコンピュータ２０８（すなわち、ユーザに対してローカルである）から、公衆コンピュータネットワーク又は専用コンピュータネットワーク２０６を介して、ウェブサーバ２０４により受信される指令に応答して起動される。問い合わせモジュール２０２は、データベース２００のデータを抽出して、再配列し、必要なスプレッドシートマクロ及び／又は選択リストを提供し、データ及びマクロを、ローカルコンピュータ２０８にダウンロードされるデータベーステンプレートファイルの形でセーブする。本発明の様々に異なる構成において、実行されるべき点検の条件に応じて、提供されるユーティリティプログラムの形態及び数は異なってよい。しかし、いずれかの特定の構成に対して、ユーティリティモジュールの性質及び必要条件が指定されていれば、そのユーティリティモジュールを符号化するタスクは、データベースプログラマ及び／又はアプリケーションプログラマが予測できると考えられる、当業者の通常の技術レベルの範囲内である。
【００２１】
特に、本発明のいくつかの構成においては、問い合わせモジュール２０２は、データベース２００から、点検が要求される項目（例えば、原子力発電装置における溶接部）のリストを抽出し、それらの項目をスプレッドシートテンプレートに挿入する。ローカルコンピュータ２０８にダウンロードされるテンプレートは、検査官が、スプレッドシートの特定の場所に、いくつかの事前に定義された表記しか入力できない、又は応答を選択するために、検査官がドロップダウン又は他の種類の制御を使用しなければならないという意味で、「ロック」されている。
【００２２】
応答を入力した後、検査官は、修正されたスプレッドシートを、ローカルコンピュータ２０８からネットワーク２０６及びウェブサーバ２０４を介して更新モジュール２１０にアップロードする。更新モジュール２１０は、アップロードされたスプレッドシートを構文解析する。いくつかの構成においては、更新モジュール２１０は、アップロードされたスプレッドシートに含まれるデータに対して、一貫性検査、完全性検査及び／又はその他の検査を更に実行する。エラーが認められない限り、アップロードされたスプレッドシートから構文解析された点検データは、データベース２００に入力される。
【００２３】
図９においては、ウェブサーバ２０４、問い合わせモジュール２０２、更新モジュール２１０及びデータベース２００は、単一の遠隔コンピュータ２１２で実行されるものとして示されるが、他の構成では、「遠隔コンピュータ」２１２は、更に一般的に、コンピュータシステムである。加えて、ローカルコンピュータ２０８も１つしか示されていないが、多くの構成においては、様々に異なる施設を点検するために、様々に異なる場所で、異なる検査官により、複数のローカルコンピュータ２０８が使用される。尚、ここで使用される用語「コンピュータシステム」は、１つのコンピュータ、あるいは互いに協働自在に通信する１つ以上のコンピュータ又はプロセッサを表す。また、「ローカルコンピュータ」及び「遠隔コンピュータ」も、本明細書においては、一貫して、データベースのオペレータではなく、検査官の視点から使用される。従って、コンピュータシステム２１２は、常に、「遠隔コンピュータ」として表され、ローカルコンピュータ２０８は、常に、「ローカルコンピュータ」として表される。
【００２４】
ここで提示される例は、説明されるダウンロード、アップロード及びデータ入力の各過程を同一の人物が実行することを前提とするが、本発明は、それらの過程の全てが１人の検査官又はレベル３エンジニアにより実行されることを要求せず、更には、同一の人物により実行されることさえ要求しない。例えば、法律、規制、業界の慣例又は企業内の慣例により禁止されないならば、上記の過程の一部又は全てを、１人以上の助手又は技術者が実行することも可能である。
【００２５】
本発明の構成は、生産性を改善すると同時に、誤りが未解決のまま残される確率を低減する統合データエントリポイント及びシステムを提供することが理解されるであろう。本発明は、検査労力を更に効率よく、経済的に利用することを可能にする。
【００２６】
様々な特定の実施形態に関して、本発明を説明したが、本発明の趣旨の範囲内で、変形を伴って本発明を実施できることは、当業者には認められるであろう。特許請求の範囲において示される図中符号は、発明の範囲を狭めるのではなく、発明の理解を容易にすることを意図されている。
【図面の簡単な説明】
【００２７】
【図１】本発明のいくつかの構成において、検査官に対して提示される点検検査メニューのスクリーンショット。
【図２】スプレッドシートテンプレートをダウンロードできる原子力発電装置のメニューのスクリーンショット。
【図３】本発明のいくつかの構成において利用されるダウンロードプロンプト画面のスクリーンショット。
【図４】本発明のいくつかの構成において、マクロを含むスプレッドシートが開かれたときに表示されるマクロ警告メッセージのスクリーンショット。
【図５】ローカルコンピュータにおいて開かれるスプレッドシートファイルのスクリーンショット。
【図６】異なるメニュー選択肢の選択を示す、図１の点検検査メニューのスクリーンショット。
【図７】どのスプレッドシートファイルを遠隔コンピュータデータベースにアップロードすべきかを検査官が指定できるアップロード画面のスクリーンショット。
【図８】本発明のいくつかの構成において提供されるアップロード検証レポートの一例を示す図。
【図９】本発明のいくつかの構成において使用されるコンピュータネットワークのブロック図。
【符号の説明】
【００２８】
２００…データベース、２０２…問い合わせモジュール、２０４…ウェブサーバ、２０６…コンピュータネットワーク、２０８…ローカルコンピュータ、２１０…更新モジュール、２１２…遠隔コンピュータ
【図１】
2006018836.tif 000003
【図２】
2006018836.tif 000004
【図３】
2006018836.tif 000005
【図４】
2006018836.tif 000006
【図５】
2006018836.tif 000007
【図６】
2006018836.tif 000008
【図７】
2006018836.tif 000009
【図８】
2006018836.tif 000010
【図９】
2006018836.tif 000011
【外国語明細書】
2006018836000001.pdf